(57)【特許請求の範囲】
【請求項１】
走査信号線と、複数のデータ信号線とがマトリクス状に配置され、これら信号線の交点において走査信号線には３端子型アクティブ素子の駆動端子側電極が、又データ信号線には前記アクティブ素子の一端子側電極が接続され、このアクティブ素子の他端子側電極には画素を構成する画素電極が接続されており、更に前記画素電極は対向電極との間に液晶部を含む液晶パネルと、
前記液晶パネルの走査信号線に走査信号を供給する走査ドライバと、
前記液晶パネルのデータ信号線にデータ信号を供給するデータドライバと、を具備するアクティブマトリクス型液晶表示装置の駆動方法であって、
前段走査信号線上のアクティブ素子がオン状態であるときに、当段走査信号線のアクティブ素子を、前記前段走査信号線のアクティブ素子と時間をずらしてオン状態とすることにより、同時に少なくとも２本以上の走査信号線をオーバーラップしてオン状態とするよう駆動し、画面全体の１画像の表示時間である１フィールドを時間軸上で複数のサブフィールドに分割し、各サブフィールド毎に前記走査信号線のオーバーラップしてオン状態とする走査信号線の本数を異ならせることを特徴とするアクティブマトリクス型液晶表示装置の駆動方法。
【請求項２】
前記フィールドにおいて、走査信号線の走査の方向をフィールド毎に、逆方向に反転させることを特徴とする請求項１記載のアクティブマトリクス型液晶表示装置の駆動方法。
【請求項３】
前記各データ信号を、隣接するデータ信号線同士において前記コモン信号を中心として逆極性にて供給することを特徴とする請求項１又は請求項２記載のアクティブマトリクス型液晶表示装置の駆動方法。
【請求項４】
走査信号線と、複数のデータ信号線とがマトリクス状に配置され、これら信号線の交点において走査信号線には３端子型アクティブ素子の駆動端子側電極が、又データ信号線には前記アクティブ素子の一端子側電極が接続され、このアクティブ素子の他端子側電極には画素を構成する画素電極が接続されており、更に前記画素電極は対向電極との間に液晶部を含む液晶パネルと、
前記液晶パネルの走査信号線に走査信号を供給する走査ドライバと、
前記液晶パネルのデータ信号線にデータ信号を供給するデータドライバと、を具備するアクティブマトリクス型液晶表示装置において、
前記走査ドライバは、走査信号線の並びに沿って前記走査信号線を順次アクティブとし、隣接する複数の走査信号線でアクティブとなる時間の一部をオーバーラップさせ、前記走査信号線上のアクティブ素子をオンとするように駆動し、
前記走査ドライバは、画面全体の一画像の表示時間であるフィールドを複数のサブフィールドに分割し、各サブフィールド内でオーバーラップさせる複数の走査信号線数を異ならせるようにしたことを特徴とするアクティブマトリクス型液晶表示装置。
【請求項５】
前記走査ドライバは、フィールド毎に走査信号線の走査方向を逆方向に反転させるようにしたことを特徴とする請求項４記載のアクティブマトリクス型液晶表示装置。
【請求項６】
前記データドライバは、隣接するデータ信号線同士において前記対向電極に供給されるコモン信号を中心として逆極性にて各データ信号を供給することを特徴とする請求項４または請求項５記載のアクティブマトリクス型液晶表示装置。
【請求項７】
請求項４〜６のいずれか１項記載のアクティブマトリクス型液晶表示装置を表示部として搭載したことを特徴とする情報携帯機器。
【発明の詳細な説明】
【０００１】
【発明の属する技術分野】
本発明は、パーソナルコンピュータやＴＶ受像機等の画像表示装置として用いられる液晶表示装置とその駆動方法、及びこの液晶表示装置を用いた情報携帯機器に関するものである。
【０００２】
【従来の技術】
従来のアクティブマトリクス型液晶表示装置について図８を参照して説明する。従来の表示装置においては、液晶パネルでは複数の走査信号線Ｘ1 〜Ｘn と複数のデータ信号線Ｙ1 〜Ｙm とがマトリクス状に配置されている。走査ドライバ６は各走査信号線Ｘ1 〜Ｘn の夫々に走査信号を供給してこれらを順次に駆動するものである。データドライバ７は各データ信号線Ｙ1 〜Ｙm の夫々に同時に表示用データ信号を供給してこれらを駆動するものである。複数の走査信号線Ｘ1 〜Ｘn と、複数のデータ信号線Ｙ1 〜Ｙm との交点には、複数の画素がマトリクス状に配置されて液晶表示パネルが構成されている。
【０００３】
液晶パネル内のこれらの信号線が交差する部分には走査信号の印加入力に応答してゲートを開くトランジスタ１が配備されている。各トランジスタ１のゲート電極の夫々は対応する走査信号線Ｘ1 〜Ｘn に個別に接続されている。各トランジスタ１のソース電極の夫々は対応するデータ信号線Ｙ1 〜Ｙm に個別に接続されている。各トランジスタ１のドレイン電極の夫々は対応する画素内の画素電極２に個別に接続されている。又、画素電極２に対して表示用として液晶３を挟んで透明電極である対向電極４が配置される。各画素夫々の対向電極４は対向電極ドライバ８から対向バスライン５を介して共通に供給されるコモン信号によって駆動される。
【０００４】
図９は任意の画素の回路図である。図９で示すように、走査信号線Ｘには走査信号線抵抗ＸＲと走査信号線容量ＸＣが、データ信号線Ｙにはデータ信号線抵抗ＹＲとデータ信号線容量ＹＣが夫々並列回路で存在する。
【０００５】
図１０は画素に表示用データ信号が書き込まれるタイミングを走査信号と共に示した図である。図１０（ａ）〜（ｃ）は夫々走査ドライバ６から任意の走査信号線Ｘi-1 、Ｘi 、Ｘi+1 上に夫々供給される走査信号の波形を示している。図１０（ｄ）はデータドライバ７から任意のデータ信号線Ｙj 上に供給されるデータ信号の波形を示している。図１０（ｅ）は対向電極ドライバ８から対向バスライン５を介して各画素の対向電極４に供給されるコモン信号の波形を示している。データ信号は、隣接するデータ信号線同士においてコモン信号を中心として逆極性の関係である。図１０（ｆ）は、走査信号線Ｘi とデータ信号線Ｙj が交差する画素Ｐij内の画素電極２−Ｘi Ｙj の波形を示している。
【０００６】
図１０（ｆ）を簡単に説明する。図１０中の１Ｈにおいては、画素Ｐij対応のトランジスタ１−Ｘi Ｙj のソース電極にはデータ信号線Ｙj から表示用データ信号が供給されている。この１Ｈ中に走査信号線Ｘi を介してトランジスタ１−Ｘi Ｙj のゲート電極に図１０（ｂ）のアクティブな走査信号Ｘi が供給される。これによって、画素Ｐij対応のトランジスタ１−Ｘi Ｙj がオン状態となり、このトランジスタ１−Ｘi Ｙj のドレイン電極に接続されている画素電極２−Ｘi Ｙj には、液晶３−Ｘi Ｙj にデータ信号線Ｙj からのデータ信号が書き込まれる。
【０００７】
この１Ｈ以降は、走査信号線Ｘi に供給される走査信号Ｘi はノンアクティブになるので、画素Ｐij対応のトランジスタ１−Ｘi Ｙj がオフ状態となり、ゲートがオフ状態となった時点の電圧、即ちデータ信号線Ｙj からのデータ信号のレベルが１フィールドの間画素電極２−Ｘi Ｙj に維持される原理である。
【０００８】
又、画面全体の１画像の表示時間である１フィールド毎に、各データ信号値を、コモン信号を中心として逆極性にて供給することにより、液晶への印加電圧が交流となるようにしている。以上は、一般的なアクティブマトリクス型液晶表示装置の駆動の概略である。
【０００９】
【発明が解決しようとする課題】
しかしながら、このような従来のアクティブマトリクス型液晶表示装置の駆動方式では、ゲートの立ち上がり、立ち下がり時間を考慮すると、図１０（ａ）〜（ｃ）等に示されるように実際のオン状態の時間は１Ｈより短くなるため、十分に充電するのが困難であった。将来的に画素解像度の高精細化が進む中で、どのようにして十分に充電するかが問題となっていた。
【００１０】
即ち、従来のアクティブマトリクス型液晶表示装置の駆動方式において、十分な充電を得るには次のような問題がある。まず、図９に示すように各走査信号線には、各々、走査信号線抵抗ＸＲと走査信号線容量ＸＣが存在する。これらの積は走査信号線時定数と呼ばれる遅延成分を表し、オフ電圧である走査信号線にオン状態の電圧を印加してから走査信号線の電圧がオン電圧になるまでには、走査信号線時定数、オフ電圧、オン電圧、自然対数ｅによって定まる時間遅れが生じる。従って、ゲートがオン状態である時間は、走査信号線にオン電圧を印加している時間よりも短くなるため、充電時間も短くなり十分な充電が得られない。これは、画素解像度が高精細化になるほど走査信号線１本当たりのオン電圧印加時間が短くなるため、更に大きな問題となる。
【００１１】
又、各データ信号線に関しても走査信号線と同様に、各々、データ信号線抵抗ＹＲとデータ信号線容量ＹＣが存在するため、同様の問題が生じている。
【００１２】
本発明は、ＣＲＴの代替となるＬＣＤモニターなどで求められる高解像度のアクティブマトリクス型液晶表示装置において、上記のような従来の問題点を解決するものであり、十分な充電を得ることにより高品位の表示を可能とするアクティブマトリクス型液晶表示装置とその駆動方法を提供することを目的とする。
【００１３】
【課題を解決するための手段】
本願の請求項１の発明は、走査信号線と、複数のデータ信号線とがマトリクス状に配置され、これら信号線の交点において走査信号線には３端子型アクティブ素子の駆動端子側電極が、又データ信号線には前記アクティブ素子の一端子側電極が接続され、このアクティブ素子の他端子側電極には画素を構成する画素電極が接続されており、更に前記画素電極は対向電極との間に液晶部を含む液晶パネルと、前記液晶パネルの走査信号線に走査信号を供給する走査ドライバと、前記液晶パネルのデータ信号線にデータ信号を供給するデータドライバと、を具備するアクティブマトリクス型液晶表示装置の駆動方法であって、前段走査信号線上のアクティブ素子がオン状態であるときに、当段走査信号線のアクティブ素子を、前記前段走査信号線のアクティブ素子と時間をずらしてオン状態とし、
画面全体の１画像の表示時間である１フィールドを時間軸上で複数のサブフィールドに分割し、各サブフィールド毎に前記走査信号線のオーバーラップしてオン状態とする走査信号線の本数を異ならせることを特徴とするものである。
【００１５】
本願の請求項２の発明は、前記フィールドにおいて、請求項１のアクティブマトリクス型液晶表示装置の駆動方法において、走査信号線の走査の方向をフィールド毎に、逆方向に反転させることを特徴とするものである。
【００１６】
本願の請求項３の発明は、請求項１または請求項２のアクティブマトリクス型液晶表示装置の駆動方法において、前記各データ信号を、隣接するデータ信号線同士において前記コモン信号を中心として逆極性にて供給することを特徴とするものである。
【００１７】
本願の請求項４の発明は、アクティブマトリクス型液晶表示装置において、走査信号線と、複数のデータ信号線とがマトリクス状に配置され、これら信号線の交点において走査信号線には３端子型アクティブ素子の駆動端子側電極が、又データ信号線には前記アクティブ素子の一端子側電極が接続され、このアクティブ素子の他端子側電極には画素を構成する画素電極が接続されており、更に前記画素電極は対向電極との間に液晶部を含む液晶パネルと、前記液晶パネルの走査信号線に走査信号を供給する走査ドライバと、前記液晶パネルのデータ信号線にデータ信号を供給するデータドライバと、を具備するアクティブマトリクス型液晶表示装置において、前記走査ドライバは、走査信号線の並びに沿って前記走査信号線を順次アクティブとし、隣接する複数の走査信号線でアクティブとなる時間の一部をオーバーラップさせ、前記走査信号線上のアクティブ素子をオンとするように駆動し、前記走査ドライバは、画面全体の一画像の表示時間であるフィールドを複数のサブフィールドに分割し、各サブフィールド内でオーバーラップさせる複数の走査信号線数を異ならせることを特徴とするものである。
【００１９】
本願の請求項５の発明は、請求項４のアクティブマトリクス型液晶表示装置において、前記走査ドライバは、フィールド毎に走査信号線の走査方向を逆方向に反転させるようにしたことを特徴とするものである。
【００２０】
本願の請求項６の発明は、請求項４または請求項５のアクティブマトリクス型液晶表示装置において、前記データドライバは、隣接するデータ信号線同士において前記対向電極に供給されるコモン信号を中心として逆極性にて各データ信号を供給することを特徴とするものである。
【００２１】
本願の請求項７の発明は、請求項４〜６のいずれか１項記載のアクティブマトリクス型液晶表示装置を表示部として搭載したことを特徴とするものである。
【００２２】
【発明の実施の形態】
以下、本発明の実施の形態について図面を参照しながら詳細に説明する。
（実施の形態１）
図１は、本発明の実施の形態１におけるアクティブマトリクス型液晶表示装置の構成を示すブロック図であり、前述した従来例と同一部分は同一符号を付して詳細な説明を省略する。この実施の形態においても液晶パネル自体の構成は従来例と同一であり、制御回路９から走査ドライバ２１にタイミング信号が出力される。又データドライバ２２にタイミング信号と表示用データ信号とが出力される。走査ドライバ２１は後述するように隣接する複数ライン、例えば２本の信号走査線を互いにオーバーラップさせてオンとすることによって、走査ラインを順次駆動するものである。データドライバ２２はデータ信号線Ｙ1 〜Ｙm に各ライン毎にコモン信号を中心として極性の異なるデータ信号を出力するものである。
【００２３】
次にデータドライバ２１の構成の一例を図２に示す。データドライバ２１はシフトパルスが加わるシフトレジスタ３１とその各部の出力端に接続されたディレー回路３２，オア回路３３によって構成されている。ディレー回路３２（Ｄ）はシフトレジスタ３１の出力を夫々各１クロック分遅延させるものであり、オア回路３３は遅延出力と遅延前との出力の論理和によって各走査ラインの駆動信号を生成するものである。この信号は図示しないドライブ回路を介して各走査信号線Ｘ1 〜Ｘn に入力される。
【００２４】
次に本実施の形態による液晶表示装置の駆動方法について図３の波形図を参照しつつ説明する。図３（ａ）〜（ｃ）は夫々走査ドライバ２１から走査信号線Ｘi-1 、Ｘi 、Ｘi+1 上に夫々供給される走査信号の波形を示している。図３（ｄ）はデータドライバ２２からデータ信号線Ｙj 上に供給されるデータ信号の波形を示している。図３（ｅ）は対向電極ドライバ８から対向バスライン５を介して各画素の対向電極４に供給されるコモン信号の波形を示している。データ信号は、隣接するデータ信号線同士においてコモン信号を中心として逆極性の関係であり、且つ画面全体の１画像の表示時間である１フィールド毎にコモン信号を中心として逆極性の関係に反転する。図３（ｆ）は、走査信号線Ｘi とデータ信号線Ｙj が交差する画素Ｐij内の画素電極２−Ｘi Ｙj の波形を示している。
【００２５】
図３について詳細に説明する。画素Ｐijには、Ｔ１，Ｔ２から成る最初の１ＧＨの期間において、走査信号線Ｘi にアクティブな信号が供給されるが、この１ＧＨ中の前半Ｔ１は、走査信号線Ｘi-1 のアクティブな信号とオーバーラップしてオン状態となるため、データ信号線Ｙj には走査信号線Ｘi-1 と交互する画素Ｐi-1,j の表示用データ信号が供給される。又、後半Ｔ２（１Ｈ：実効アクティブ時間）は、走査信号Ｘi-1 とのオーバーラップがなくなり、データ信号線Ｙj には走査信号線Ｘi 用の表示用データ信号が供給される。これによって、図３（ｆ）に示すように期間Ｔ１で画素Ｐijの画素電極の電圧が変化するが、期間Ｔ２で所定の電圧レベルとすることができ、以後の１フィールド間はこの電圧レベルが保たれる。このようにオーバーラップ中の期間Ｔ１の間に走査信号線Ｘi の電圧をオフ状態から所定オン電圧まで上昇させておくことが可能となる。即ち実効アクティブ時間Ｔ２中には時定数による遅延の影響がなくなるため、充電時間の短縮に効果がある。
【００２６】
又、各画素に書き込まれるデータ信号は隣接するデータ信号線同士においてコモン信号を中心として逆極性の関係に反転していることにより、交流駆動時の実効値が極性によって異なることによって発生するフリッカを防止することができ、表示の一様性を向上させることができる。
【００２７】
（実施の形態２）
次に本発明の実施の形態２について説明する。液晶表示装置の全体構成は図２に示すブロック図と共通しており、走査ドライバ２３，データドライバ２４とする。走査ドライバ２３は図４に示す詳細な構成を示すように、入力されたシフトパルスを分周する分周回路３４と実施の形態１と同様のシフトレジスタ３１，ディレー回路３２，及び第１群のオア回路３３に加えて、隣接する４つのオア回路の出力の論理和をとる第２群のオア回路３５、第２群のオア回路３５の出力とサブフィールド切換回路３６の出力の論理性をとるアンド回路３７を有している。各アンド回路３７の出力と第１群のオア回路３３の論理和をとる第３群のオア回路３８を設けて各走査信号線の駆動信号とする。各走査ラインの駆動信号には図示しないドライバを介して液晶パネルの走査線Ｘ0 〜Ｘn に接続する。サブフィールド切換回路３６は入力毎にその状態を変化させるフリップフロップで構成され、その出力によってアンド回路３７の動作を切換えると共に、分周回路３４の分周比を切換えるものである。又データドライバ２４は図示しないが、サブフィールド切換回路３６の出力によってデータ信号を順次出力し、又データ信号を所定のレベルに保持するものとする。
【００２８】
次にこの実施の形態の動作について説明する。図５は、本発明の実施の形態２における駆動方法の波形を示したものである。図５（ａ）〜（ｅ）は夫々走査ドライバ２３から走査信号線Ｘi-1 、Ｘi 、・・・、Ｘi+3 上に夫々供給される走査信号の波形を示している。図５（ｆ）はデータドライバ７からデータ信号線Ｙj 上に供給されるデータ信号の波形を示している。図５（ｇ）は対向電極ドライバ８から対向バスライン５を介して各画素の対向電極４に供給されるコモン信号の波形を示している。データ信号は、隣接するデータ信号線同士においてコモン信号を中心として逆極性の関係であり、且つ画面全体の１画像の表示時間である１フィールド毎にコモン信号を中心として逆極性の関係に反転する。図５（ｈ）は、走査信号線Ｘi とデータ信号線Ｙj が交差する画素Ｐij内の画素電極２−Ｘi Ｙj の波形を示している。
【００２９】
図５について詳細に説明する。この液晶表示装置では１フィールドを時間軸でＴＨ１、ＴＨ２の２つ（もしくはそれ以上）のサブフィールドに分割して、各サブフィールド毎に全走査信号線Ｘi 〜Ｘn を、実施の形態１で示したようなオーバーラップ方式で走査する。このとき、ＴＨ１とＴＨ２で、オーバーラップしてオン状態となる走査信号線の本数を異ならせる。このような操作を行うため第１のサブフィールドではサブフィールド切換回路３６の出力をＬレベルとする。こうすればアンド回路３７の出力は全てＬとなるため、第１の実施の形態と同様に第１群のオア回路３３の出力がそのまま各走査信号線の出力となる。シフトレジスタ３１の全てのラインの走査が終了すると、最終段の出力がサブフィールド切換回路３６に与えられ、その出力をＨレベルとする。これによりアンド回路３７がアクティブとなり、第１及び第２群のオア回路の出力の論理和が各走査信号線の信号となる。このときサブフィールド切換回路３６によって分周回路３４の分周比が切換えられる。これにより第２のサブフィールドＴＨ２で図５に示すような走査を実現することができる。
【００３０】
このように各走査信号線を駆動すれば、各走査信号線のオン状態の時間１ＧＨを変更しないため、時定数による遅延の影響無く実効アクティブ時間１Ｈを、サブフィールド毎に可変することができる。従って、例えば第１のサブフィールドＴＨ１では実施の形態１と同様に表示用データ信号を供給し、第２のサブフィールドＴＨ２では全画素同一の例えば黒状態のデータ信号を供給するときに、ＴＨ１をＴＨ２と比較して十分に長く取ることが可能となる。
【００３１】
本方式では、１フィールドにおける画像表示の時間を任意に変えることにより、動画表示の画質の向上と画面輝度の低下の抑制が図れるという効果がある。特に第１のサブフィールドＴＨ１に画像を表示し、第２のサブフィールドＴＨ２の画面に黒表示をすると、動画画質を向上させることができる。
【００３２】
（実施の形態３）
次に本発明の実施の形態３について説明する。この実施の形態においても全体のブロック構成は実施の形態１と同様であるので、詳細な説明を省略する。この実施の形態では走査ドライバ２５，データドライバ２６を用いる。データドライバ２６は実施の形態２と同じく第１フィールドの第１のサブフィールドで一定の方向に各ラインに画像信号を出力し、第２のサブフィールドで一定のレベルを出力すると共に、第２フィールドの第１サブフィールドでは画像信号をコモン信号を中心として反転させ、且つ逆方向に画像信号を出力し、第２フィールドの第２サブフィールドでは所定レベルを出力するものである。走査ドライバ２５については図６に示すように、シフトレジスタ３１の出力及びディレー回路２２の出力が夫々入力される第１群のオア回路３３、第１群のオア回路のうち隣接するオア回路の論理和出力を得る第２群のオア回路３５、第２群のオア回路３５とサブフィールド切換回路４０，４１の出力の論理積をとるアンド回路３７、第３群のオア回路３８については図４と示すものと同一である。この実施の形態ではサブフィールド切換回路４０はシフトレジスタ３１のシフトが最終段に達したときに第１のサブフィールドから第２のサブフィールドに切換えるものである。更にこの実施の形態ではサブフィールド切換回路４０の出力によってサブフィールド切換回路４１を介して分周回路４２の分周比を切換える。又サブフィールド切換回路４１によりシフトレジスタが同一方向に２回シフトして第１フィールドが終了すると、分周回路４２の動作を停止させ、分周回路４３を動作させ、逆方向にシフトレジスタ３１をシフトさせる。そしてサブフィールド切換回路４１の出力に基づいてサブフィールド切換回路４０を介して分周回路４３の分周比を変更するものとする。
【００３３】
図７は、本発明の実施の形態３における駆動方法を示す波形図である。図７（ａ）〜（ｅ）は夫々走査ドライバ２５から走査信号線Ｘi-1 、Ｘi 、・・・、Ｘi+3 上に夫々供給される走査信号の波形を示している。図７（ｆ）はデータドライバ２６からデータ信号線Ｙj 上に供給されるデータ信号の波形を示している。図７（ｇ）は対向電極ドライバ８から対向バスライン５を介して各画素の対向電極４に供給されるコモン信号の波形を示している。データ信号は、隣接するデータ信号線同士においてコモン信号を中心として逆極性の関係であり、且つ画面全体の１画像の表示時間である１フィールド毎にコモン信号を中心として逆極性の関係に反転する。図７（ｈ）は、走査信号線Ｘi とデータ信号線Ｙj が交差する画素Ｐij内の画素電極２−Ｘi Ｙj の波形を示している。
【００３４】
図７について詳細に説明する。この実施の形態では実施の形態２で示したようなオーバーラップ本数可変型のサブフィールド方式において、１フィールド毎に走査信号線の走査する方向を逆方向に走査させる方式である。即ち図７において、第１フィールドでは図５と同様に第１のサブフィールドＴＨ１でＸ1 〜Ｘn まで順次走査信号線のＨレベルを２本づつオーバーラップさせつつ、順方向に走査する。このときにはサブフィールド回路４０と分周回路４２とを動作させる。第１サブフィールドＴＨ１を終えると、サブフィールド切換回路４０がアクティブとなる。サブフィールド切換回路４１はこの変化を検出して分周回路４２の分周比を切換え、第２サブフィールドＴＨ２では高いクロックでオーバーラップする走査ライン数を多くして順次走査信号線Ｘ1 〜Ｘn まで駆動する。Ｘn までの駆動が終わるとサブフィールド切換回路４０の出力がＬとなり、サブフィールド切換回路４１はこの変化を検出して第２フィールドの走査に移り、分周回路４２を停止させる。入力信号は分周回路４３を介して逆方向にシフトレジスタ３１に加わる。このときＸn からＸ1 方向に向かって順次走査信号線を２本づつ重複させてオンとする。第２フィールドの第２サブフィールドでは、サブフィールド切換回路４１によって分周回路４３の分周比を変化させ、図７に示すように重複するライン数を多くして駆動する。
【００３５】
このようにすることにより前述した第２の実施の形態では、第１サブフィールドＴＨ１の期間をＴＨ２の期間より大きくすると、画面の上の方の表示時間が下の方の表示時間より長くなり、上が明るく下が暗くなるという輝度傾斜が発生することがあるが、本実施の形態では第１，第２フィールドで交互に走査方向を異ならせているため、画像データの表示時間が平均化することとなり、輝度傾斜の発生を抑えることができる。
【００３６】
なお、上記の各実施の形態は基本的な構成を示しており、この構成が必要に応じて適宜変更されることはいうまでもない。
【００３７】
又ここで説明したアクティブマトリックス型液晶表示装置を表示部とする種々の携帯型情報機器を構成することができる。
【００３８】
【発明の効果】
以上説明したように、本願の請求項１〜９の発明によれば、時定数による遅延の影響が無く、液晶パネルの各画素を安定して充電することができる。それは、従来の設計手法を用いながら、画素解像度の高精細化する場合にも対応可能な方式である。
【００３９】
更に請求項２，３及び６，７の発明によれば、１フィールドをサブフィールドに分割し、各サブフィールド毎にオーバーラップしてオン状態とする走査信号線数を変化させているため、第１のサブフィールドで画像を表示し、第２のサブフィールドで黒等の一色を表示したときに動画の印字品質を向上させることができる。
【００４０】
又請求項３及び７の発明では、走査方向をフィールド毎に反転させることによって輝度傾斜の発生を抑えることができるという効果が得られる。
【図面の簡単な説明】
【図１】本発明の実施の形態１における液晶表示装置の構成を示すブロック図
【図２】本実施の形態の走査ドライバの構成を示すブロック図
【図３】本発明の実施の形態１における液晶表示装置の動作説明に供する波形図
【図４】本発明の実施の形態２の走査ドライバの構成を示すブロック図
【図５】本実施の形態２における液晶表示装置の動作説明に供する波形図
【図６】本発明の実施の形態３の走査ドライバの構成を示すブロック図
【図７】本実施の形態３における液晶表示装置の動作説明に供する波形図
【図８】一般のアクティブマトリクス型液晶表示装置の構成を示す図
【図９】一般の液晶表示装置の任意の画素部の回路図
【図１０】従来の液晶表示装置の動作説明に供する波形図
【符号の説明】
１  トランジスタ
２  画素電極
３  液晶
３Ｒ  液晶抵抗成分
３Ｃ  液晶容量成分
４  対向電極
４Ｒ  対向電極抵抗
５  対向バスライン
６，２１，２３，２５  走査ドライバ
７，２２，２４，２６  データドライバ
８  対向電極ドライバ
９  制御回路
３１  シフトレジスタ
３２  遅延回路
３３  第１群のオア回路
３４，４２，４３  分周回路
３５  第２群のオア回路
３６，４０，４１  サブフィールド切換回路
３７  アンド回路
３８  第３群のオア回路
Ｘ1 〜Ｘn   走査信号線
ＸＲ  走査信号線抵抗
ＸＣ  走査信号線容量
Ｙ1 〜Ｙm   データ信号線
ＹＲ  データ信号線抵抗
ＹＣ  データ信号線容量
【図１】
0004585088.tif 000002
【図２】
0004585088.tif 000003
【図３】
0004585088.tif 000004
【図４】
0004585088.tif 000005
【図５】
0004585088.tif 000006
【図６】
0004585088.tif 000007
【図７】
0004585088.tif 000008
【図８】
0004585088.tif 000009
【図９】
0004585088.tif 000010
【図１０】
0004585088.tif 000011